(57)【要約】【課題】有機ＥＬＤなどの自発光タイプの表示装置において、文字データのみを白色または高輝度にしてそれ以外を黒色で表示するまたは輝度を下げる消費電力を低減する技術では、画像部分が含まれる場合輝度を下げると表示の境界が見えにくくなり、画像部のみ元の色で表示すると白基調画像の場合表示に多く電力を使用してしまう。【解決手段】携帯型情報端末機において、画像データの画像の輪郭部を抽出し、抽出した輪郭部を所定の画像レベルの輪郭画像データに変換し、生成した画像データの画像全体を所定の割合の画像レベルの背景画像データに変換し、暗色変換した所定の割合の画像レベルの背景画像データに、明色変換した輪郭画像データを重ね合わせた画像データを表示させる手段を設ける。【選択図】図１
2008151921.tif 000002
【特許請求の範囲】
【請求項１】
自発光タイプの表示部と、前記表示部に文字や絵などの画像を表示させるための画像データを生成する画像生成部とを備える携帯型情報端末機において、
前記画像生成部で生成した画像データの画像の輪郭部を抽出する輪郭抽出部と、前記輪郭抽出部で画像から抽出した輪郭部を所定の画像レベルの輪郭画像データに変換する明色変換部と、前記画像生成部で生成した画像データの画像全体を所定の割合の画像レベルの背景画像データに変換する暗色変換部とを設け、
前記暗色変換部により変換した所定の割合の画像レベルの背景画像データに、前記明色変換部により変換した輪郭画像データを重ね合わせた画像データを表示させる手段を設けたことを特徴とする携帯型情報端末機。
【請求項２】
請求項１記載の携帯型情報端末機において、
前記輪郭抽出部が色成分毎に輪郭部を抽出し、前記明色変換部は前記輪郭抽出部で抽出された色成分毎に所定の画像レベルとなる輪郭画像データに変換することを特徴とする携帯型情報端末機。
【請求項３】
請求項１乃至２記載の携帯型情報端末機において、
前記明色変換部における前記所定の画像レベルを指定する手段を設けたことを特徴とする携帯型情報端末機。
【請求項４】
請求項１乃至３記載の携帯型情報端末機において、
前記明色変換部における輪郭部の太さを指定する手段を設けたことを特徴とする携帯型情報端末機。
【請求項５】
自発光タイプの表示部と、前記表示部に文字や絵などの画像を表示させるための画像データを生成する画像生成部とを備える携帯型情報端末機用のプログラムであって、
前記画像生成部で生成した画像データの画像の輪郭部を抽出する輪郭抽出部と、前記輪郭抽出部画像から抽出した輪郭部を所定の画像レベルの輪郭画像データに変換する明色変換部と、前記画像生成部で生成した画像データの画像全体を所定の割合の画像レベルの背景画像データに変換する暗色変換部とを備え、
前記暗色変換部により変換した所定の割合の画像レベルの背景画像データに、前記明色変換部により変換した輪郭画像データを重ね合わせた画像データを表示することを実現させる携帯型情報端末機用のプログラム。
【発明の詳細な説明】
【技術分野】
【０００１】
本発明は、有機ＥＬ（Electro  luminescence）、あるいはＬＥＤ（Light  Emitting  Diode）などの自発光タイプの表示部を搭載した携帯型情報端末機に係り、特に、表示に使われる色において暗い色を使用する割合を増やし、電力を抑える制御に関するものである。
【背景技術】
【０００２】
電池で駆動する携帯型情報端末として、電池での使用時間を出来るだけ長くすることが要求されている。近年、有機ＥＬディスプレイに代表される自発光タイプの表示装置が製品化され、携帯型情報端末機用途として作られているものもある。
【０００３】
有機ＥＬディスプレイは表示面全面を白色で表示した場合の電力が一番大きく、単純に計算して、赤（Ｒ）または緑（Ｇ）または青（Ｂ）の単色の場合電力はおよそ１／３に減少し、黒色は電力が一番小さくなるという特徴がある。そのため、有機ＥＬディスプレイを使用することを前提に作られた専用アプリケーションソフトの場合は、前述した有機ＥＬディスプレイの特徴にあわせた暗い色の配色で画面を表示するようにアプリケーションソフトを作ることが可能である。
【０００４】
しかしながら、市販の文字作成や表作成等のアプリケーションソフトの場合は、画面の背景（ベース）に白等の明るい色に黒い文字の画面が使われているため、有機ＥＬディスプレイのような自発光タイプの表示装置としては大きな電力を消費してしまうという問題がある。
【０００５】
このような消費電力の問題に対して、特許文献１による従来技術では、黒い文字と白い背景を反転させ、文字表示を白にしてその他の背景表示を黒くするという技術が公開されている。
【０００６】
また、特許文献２による従来技術では、文字表示のみ輝度を明るくし、その他背景表示の輝度を下げる技術が公開されている。
【特許文献１】特開２００３−１０８０７６号公報
【特許文献２】特開２００２−１９９０７８号公報
【発明の開示】
【発明が解決しようとする課題】
【０００７】
有機ＥＬディスプレイのような自発光タイプの表示装置を備えた携帯型情報端末機において、電池による駆動可能時間を長くするためには表示に使用する電力を下げる必要がある。
【０００８】
ところで、携帯型情報端末機で使用するアプリケーションには文字や表だけではなく、絵などの画像も表示するものがある。このため、消費電力を下げるためには、文字や背景だけではなく絵などの画像も暗くする必要がある。
【０００９】
しかしながら、上記特許文献１及び２記載の従来技術では、絵などの画像表示は輝度の明るさを変更することには配慮されていない。そのため、絵などの画像の輝度レベルが高い場合、表示にかかる消費電力が増えてしまうという問題があった。
【００１０】
本発明の目的は、自発光タイプの表示装置を備えた携帯型情報端末機において、画像の輪郭部抽出し、輪郭部を明るく背景部を暗く表示することにより、絵などの画像も明るい輪郭部と暗い平坦部とで表示することにより、表示にかかる消費電力を低減することのできる携帯型情報端末機を提供することにある。
【課題を解決するための手段】
【００１１】
上記課題を解決するため、本発明の第１の形態は、自発光タイプの表示部と、前記表示部に文字や絵などの画像を表示させるための画像データを生成する画像生成部とを備える携帯型情報端末機において、前記画像生成部で生成した画像データの画像の輪郭部を抽出する輪郭抽出部と、前記輪郭抽出部で画像から抽出した輪郭部を所定の画像レベルの輪郭画像データに変換する明色変換部と、前記画像生成部で生成した画像データの画像全体を所定の割合の画像レベルの背景画像データに変換する暗色変換部とを設け、前記暗色変換部により変換した所定の割合の画像レベルの背景画像データに、前記明色変換部により変換した輪郭画像データを重ね合わせた画像データを表示させる手段を設けたことを特徴とする。
【００１２】
さらに、前記輪郭抽出部が色成分毎に輪郭部を抽出し、前記明色変換部は前記輪郭抽出部で抽出された色成分毎に所定の画像レベルとなる輪郭画像データに変換することを特徴とする。
【００１３】
さらに、前記明色変換部における前記所定の画像レベルを指定する手段を設けたことを特徴とする。
【００１４】
さらに、前記明色変換部における輪郭部の太さを指定する手段を設けたことを特徴とする。
【００１５】
本発明の第２の形態は、自発光タイプの表示部と、前記表示部に文字や絵などの画像を表示させるための画像データを生成する画像生成部とを備える携帯型情報端末機用のプログラムであって、前記画像生成部で生成した画像データの画像の輪郭部を抽出する輪郭抽出部と、前記輪郭抽出部で画像から抽出した輪郭部を所定の画像レベルの輪郭画像データに変換する明色変換部と、前記画像生成部で生成した画像データの画像全体を所定の割合の画像レベルの背景画像データに変換する暗色変換部とを設け、前記暗色変換部により変換した所定の割合の画像レベルの背景画像データに前記明色変換部により変換した輪郭画像データを重ね合わせた画像データを表示することを実現させる携帯型情報端末機用のプログラム。
【発明の効果】
【００１６】
本発明によれば、自発光タイプの表示装置を備えた携帯型情報端末機において、画像の輪郭部抽出し、輪郭部を明るく背景部を暗く表示することにより、絵などの画像も明るい輪郭部と暗い平坦部とで表示することにより、表示にかかる消費電力を低減することができる。
【００１７】
また、色成分毎に所定の画像レベルとなる輪郭画像データに変換することにより、輝度が変化しないが色が変化する画像の場合も輪郭部を抽出して表示できる。
【００１８】
また、明色変換部における所定の画像レベルを指定するこれにより、輪郭部の明るさを変えられるので、絵柄に合せて見やすい表示にすることが可能となる。
【００１９】
また、明色変換部における輪郭部の太さを指定することにより、輪郭部の線の太さを変えられるので、輪郭部が多い絵では線の太さを細くして見やすい表示にすることが可能となる。
【００２０】
また、携帯型情報端末機用のプログラムにより、絵などの画像も明るい輪郭部と暗い平坦部とで表示することで、表示にかかる消費電力を低減させるためのプログラムを提供できる。
【発明を実施するための最良の形態】
【００２１】
以下、本発明の一実施の形態について、図に従って説明する。
【実施例１】
【００２２】
図１は、本発明による携帯型情報端末機の構成を示すブロック図である。図１において、携帯型情報端末機１００は、ＣＰＵ（Central  Processing  Unit）１０８と、電源部１０６と、電池部１１１と、ＲＯＭ１１０と、ＲＡＭ１０９と、実行入力部１０４と、終了入力部１０５と、表示部／入力部（有機ＥＬ／タッチパネル）１０１と、表示切替入力部１０７と、輪郭抽出部１０２と、明色変換部１０３と、暗色変換部１１２とから構成されている。
【００２３】
ＣＰＵ１０８は携帯型情報端末機１００を動作させるための中心的な役割を果たす装置で、画像を作り出す演算や、プログラムを実行させるための演算等の処理を行う。電源部１０６は、後述する電池部１１１から供給される電力を本端末機内の各装置やモジュールに使用可能な電圧に変換して供給するアナログ回路で構成された部分である。
【００２４】
ＲＯＭ１１０は、Read  Only  Memoryの略で、携帯型情報端末機１００を起動させるための基本動作プログラム（オペレーティングシステム）や、基本動作プログラムとハードウエアを結びつけるドライバプログラム、基本動作プログラム上で動作するアプリケーションプログラム等が記憶されている。
【００２５】
ＲＡＭ１０９は、Random  Access  Memoryの略で、プログラムや使用者が作ったデータ等を一時的に記憶させておく装置であり、後述する表示部／入力部（有機ＥＬ／タッチパネル）１０１の表示部に表示させる画像の画像データや、後述するＸ方向色変化点抽出、明色変換部・暗色変換部１０２と、Ｙ方向色変化点抽出、明色変換部１０３で変換した省電力表示画像データを一時的に記憶するエリアでもある。
【００２６】
終了入力部１０５は、実行しているプログラム終了の決定や、一つ前の動作に戻るときの指示を入力する電気的な信号（トリガ）を発生する装置であり、一般的にはキャンセルキーと呼ばれる入力手段である。実行入力部１０４はプログラムの開始等の確定を認識する電気的な信号（トリガ）を発生する装置であり、一般的にはエンターキーと呼ばれる入力手段である。
【００２７】
表示部／入力部（有機ＥＬ／タッチパネル）１０１の表示部は、文字、静止画、動画等の画像を人間の目で認識させるための装置で、有機ＥＬ表示装置に代表される自発光タイプの表示装置である。表示部／入力部（有機ＥＬ／タッチパネル）１０１の入力部は、前述した表示部上に重ねて配置され、表示部が表示する画像の情報とリンクさせて情報（データ）を入力する装置である。専用スタイラスペン等で画面に触れると、入力信号（データ）と認識され、指示されたプログラムの実行や、入力データの確定をすることができる。前述した終了入力部１０５や、実行入力部１０４と同じ機能や処理を実現することができる電気的な信号を発生させる装置である。
【００２８】
電池部１１１は、携帯型情報端末機１００を動作させるための電力を蓄積、供給する装置である。表示切替入力部１０７は、ＲＡＭ１０９に一時的に記憶された元画像の画像データを表示させる標準表示モードと、後述する輪郭抽出部１０２、明色変換部１０３、暗色変換部１１２で変換した省電力表示画像データを表示させる省電力表示モードとを選択をするための切り替えるスイッチであり、ハード的に実現ずる場合、スライドスイッチまたはプッシュスイッチによって実現する。また、表示部／入力部（有機ＥＬ／タッチパネル）１０１の入力部とソフトウエアの組合せにより実現することも出来る。
【００２９】
ここで、本発明に係る、省電力表示モード時の動作について説明する。使用者が表示切替入力部１０７を操作して省電力表示を選択した場合は、画像生成部であるＣＰＵ１０８で作られＲＡＭ１０９に一時的に記憶された表示部／入力部（有機ＥＬ／タッチパネル）１０１の表示部に表示させるための元画像の画像データを読み出し、輪郭抽出部１０２で画面の水平方向及び又は垂直方向の輪郭部を抽出し、明色変換部１０３で輪郭部の画像レベルを予め設定された明るい画像レベルとなる輪郭画像データに変換する。一方、ＲＡＭ１０９から読み出された元画像の画像データは予め設定された割合の暗い画像レベルとなる背景画像データに変換され、混合部１１３で輪郭画像データと背景画像データが重ね合わされ、省電力表示画像データとしてＣＰＵ１０８を介してＲＡＭ１０９に一時的に記憶する。
【００３０】
その後、ＲＡＭ１０９に一時的に記憶した省電力表示画像データを読み出し、表示部／入力部（有機ＥＬ／タッチパネル）１０１の表示部に表示させる。画像全体の一部である輪郭部は明るい表示、画像全体の大部分である背景（平坦部）は暗い表示となり、全体的に暗い画像となるので表示の消費電力を低減することができる。尚このとき、絵などの輪郭部は明るく表示されるため、文字や絵などの画像の輪郭部は認識できるため、画像が見難くなるということも防げる。
【００３１】
また、本実施例では後述するように、赤（Ｒ）、緑（Ｇ）、青（Ｂ）の各色成分に分けて、それぞれの輪郭部を抽出して、各色成分毎に輪郭部の画像レベルを予め設定された明るい画像レベルとなるようにしているので、輝度が変化しないが色が変化する画像の場合も輪郭部を抽出して表示できる。
【００３２】
次に、本発明による省電力表示モードの設定について、図２から図３を用いて説明する。図２は本発明による表示省電力モードの設定画面とテーブル図であり、図２（ａ）は省電力表示モードの設定画面、図２（ｂ）は省電力表示モードの入力画面例、図２（ｃ）は省電力表示モード設定情報テーブルを図示したものである。
【００３３】
図２（ａ）に示す省電力表示モードの設定画面は、予めインストールした携帯型情報端末機１００で起動可能なアプリケーション一覧から選択して実行することにより省電力表示モードの設定ウインドウ２００が、表示部／入力部（有機ＥＬ／タッチパネル）１０１の表示部に表示される。尚、この省電力表示モードの設定画面の表示は、アプリケーション用のアイコンを画面のデスクトップに置き、一般的なアプリケーションソフトの起動方法と同様の手順で起動することでも構わない。
【００３４】
輪郭抽出のための色差割合設定項目２０１は、表示部／入力部（有機ＥＬ／タッチパネル）１０１に表示される画像の輪郭部を輪郭抽出部１０２で抽出する時の閾値となる色変化割合を設定する項目で、例えば白地に黒の丸が表示されていて白色と黒色の変化を抽出させたい場合、１００％設定とする。画像の各色の画像データは白色の場合（Ｒ：２５５、Ｇ：２５５、Ｂ：２５５）で、黒色の場合、（Ｒ：０、Ｇ：０、Ｂ：０）で表され、色差が２５５（１００％）の場合を色に差があり輪郭部と判断する。
【００３５】
通常は白色と黒色のように１００％の色変化がなく、色変化の差が小さい場合もあり、元画像の状態に合わせて色の変化量を設定するための項目である。また、赤（Ｒ）単色の場合、赤１００％は（Ｒ：２５５、Ｇ：０、Ｂ：０）で、赤０％（黒）は（Ｒ：０、Ｇ：０、Ｂ：０）となり、赤の色差が２５５（１００％）あるため差があり輪郭部と判断する。
【００３６】
輪郭線の明色設定項目２０２は、輪郭抽出部１０２で抽出した輪郭部を明色変換部１０３でどのような明るさのレベルで表示させるかを指定する項目である。本実施例の場合、白色、グレー（明るいグレー）、黄色を選択可能とする。
【００３７】
輪郭の線幅設定項目２０３は、輪郭抽出部１０２で抽出した輪郭部の線幅を明色変換部１０３で変換する時にドット単位で指定できる項目で、１ドット単位で輪郭線の幅を指定することができる。
【００３８】
背景色の暗色割合設定項目２０４は、元画像の画像データ全体の画像レベルを暗くする割合を指定する項目で、１００％を指定した場合は、黒画面（Ｒ：０、Ｇ：０、Ｂ：０）となり、５０％とした場合は各色の色割合を全て５０％に落として表示させる。例えば白色（Ｒ：２５５、Ｇ：２５５、Ｂ：２５５）の５０％は、グレー（Ｒ：１２７、Ｇ：１２７、Ｂ：１２７）になる。
【００３９】
輪郭抽出のための色差割合設定項目２０１の色差割合入力エリア２０６と輪郭線の明色設定項目２０２の明色入力エリア２０７と輪郭の線幅設定項目２０３の線幅入力エリア２０８と背景色の暗色割合設定項目２０４の暗色割合数値入力エリア２０９は、入力エリア右側に、後述するプルダウンメニューを表示させるプルダウンボタンが配置されており、専用のスタイラスペンで表示部／入力部（有機ＥＬ／タッチパネル）１０１に表示されているプルダウンボタンの位置の入力部をタップすることによりプルダウンメニューが表示される。
【００４０】
実行ボタン２０５は、専用のスタイラスペンまたは指で実行ボタン２０５の表示エリアをタップすることにより、輪郭抽出のための色差割合設定２０１の色差割合数値入力エリア２０６と輪郭線の明色設定２０２の明色入力エリア２０７と輪郭の線幅設定２０３の線幅数理入力エリア２０８と背景色の暗色割合設定２０４の暗色割合数値入力エリア２０９に入力された数値データまたは文字データをＲＡＭ１０９に記憶するための指示手段で、実行入力部１０４でのキー操作と同じ働きをする。
【００４１】
キャンセルボタン２１０は、省電力表示モードの設定プログラムを終了させ、省電力表示モードの設定画面２００を表示部／入力部（有機ＥＬ／タッチパネル）１０１の表示部から消去するための指示をする入力手段で、専用のスタイラスペンまたは指でキャンセルボタン２１０の表示エリアをタップすることにより認識し、終了入力部１０５でのキー操作と同じ働きをする。
【００４２】
図２（ｂ）に示す省電力表示モードの入力画面例は、代表として輪郭抽出のための色差割合設定項目２０１の色差割合入力エリア２０６のプルダウンボタン２１６をタップしたときにプルダウンメニュー２１８を表示させた例で、このプルダウンメニュー２１８の中から希望の数字を専用スタイラスペンでタップすることで入力できる。ここで、各項目に対してプルダウンメニューは準備されており、例えば、輪郭線の明色設定項目２０２の場合は、「白」「グレー」「黄」がプルダウンメニューとして表示される。
【００４３】
輪郭の線幅設定項目２０３の場合は、「２ドット」「３ドット」・・・がプルダウンメニューとして表示される。背景色の暗色割合設定項目２０４の場合は、「５０％」「６０％」・・・「１００％」がプルダウンメニューとして表示される。プルダウンメニュー２１８で表示されている数字または文字を専用スタイラスペンでタップすると、数字または文字が選択され、前記各入力エリアに視覚的に数字または文字が入力される。
【００４４】
図２（ｃ）に示す省電力表示モード設定情報テーブルは、図２（ａ）に示す省電力表示モードの設定画面で設定した情報をＲＡＭ１０９内の決められたエリアに情報を登録するための省電力表示モード設定情報テーブル２１１である。
【００４５】
Ａテーブル２１２は輪郭抽出のための色差割合の数値データを登録するためのエリアで、Ｂテーブル２１３は輪郭線の明色情報を登録するためのエリアで、Ｃテーブル２１４は輪郭の線幅の数値データを登録するためのエリアで、Ｄテーブル２１５は背景色の暗色割合の数値データを登録するためのエリアである。前述の輪郭抽出部１０２、明色変換部１０３、暗色変換部１１２ではこの省電力表示モード設定情報テーブル２１１に登録してある数値や情報を元に、輪郭抽出、輪郭部の明るさ、背景の暗さを決めている。
【００４６】
図３は省電力表示モードの設定処理フローチャート図である。省電力表示モード設定プログラムの起動処理は、予めインストールした携帯型情報端末機１００で起動可能なアプリケーション一覧から選択して実行することにより開始される。
【００４７】
省電力表示モード設定プログラムの起動処理（ステップＳ３００）で、図２（ａ）に示す省電力表示モードの設定画面で示したウインドウ画面を、表示部／入力部（有機ＥＬ／タッチパネル）１０１の表示部に表示させ、以降表示している項目に対して必要項目を入力させ、各項目に入力された情報をＲＡＭ１０９に記憶させるためのアプリケーションプログラムを起動する処理である。
【００４８】
アプリケーションプログラム起動（ステップＳ３００）後、輪郭抽出のための色差割合入力処理（ステップＳ３０１）を実行する。輪郭抽出のための色差割合入力処理（ステップＳ３０１）は、図２で前述した入力方法によって数字を選択し、輪郭抽出のための色差割合入力エリア２０６の枠内に選択した値（２０％）を表示させ一時的にＲＡＭ１０９に選択された値を格納する処理である。
【００４９】
輪郭線の明色入力処理（ステップＳ３０２）は、図２で前述した入力方法によって白またはグレーまたは黄色を選択し、輪郭線の明色入力エリア２０７の枠内に選択したデータ（グレー文字）を表示させ一時的にＲＡＭ１０９に選択された画像データ（Ｒ：２２４、Ｇ２２４、Ｂ：２２４）を格納する処理である。
【００５０】
輪郭の線幅入力処理（ステップＳ３０３）は、図２で前述した入力方法によって数字を選択し、輪郭の線幅入力エリア２０８の枠内に選択した値（２ドット）を表示させ一時的にＲＡＭ１０９に選択された値を格納する処理である。背景色の暗色割合入力処理（ステップＳ３０４）は、図２で前述した入力方法によって数字を選択し、背景色の暗色割合入力エリア２０９の枠内に選択した値（５０％）を表示させ一時的にＲＡＭ１０９に選択された値を格納する処理である。
【００５１】
輪郭抽出のための色差割合入力処理（ステップＳ３０１）、輪郭線の明色入力処理（ステップＳ３０２）、輪郭の線幅入力処理（ステップＳ３０３）、背景色の暗色割合入力処理（ステップＳ３０４）それぞれの処理段階では表示データとして画面に出ているだけで、それぞれのデータもＲＡＭ１０９の一時記憶エリアに登録されるだけである。
【００５２】
次に実行入力判定処理（ステップＳ３０５）を実行する。実行入力判定処理（ステップＳ３０５）は、実行ボタン２０５または実行入力部１０４からの入力待ち処理で、実行ボタン２０５または実行入力部１０４からの入力が無い場合は、次のキャンセル入力判定処理（ステップＳ３０７）を実行する。キャンセル入力はキャンセルボタン２１０または終了入力部１０５からの入力待ち処理で、キャンセルボタン２１０または終了入力部１０５からの入力が無い場合は輪郭抽出のための色差割合入力処理（ステップＳ３０１）に戻る。
【００５３】
キャンセルボタン２１０または終了入力部１０５からの入力がありと判断した場合はプログラムを終了し、図２（ａ）に示した「省電力表示モードの設定画面」を表示部／入力部（有機ＥＬ／タッチパネル）１０１の表示部から消去する。
【００５４】
実行入力判定処理（ステップＳ３０５）の処理で、実行ボタン２０５または実行入力部１０４からの入力がある場合は、テーブル登録処理（ステップＳ３０６）を実行する。テーブル登録処理（ステップＳ３０６）は、図２（ｃ）の省電力表示モード設定情報テーブルに示すテーブルにデータを登録する。
【００５５】
輪郭設定のための色差割合設定エリア２０６のデータはＡテーブル２１１に「２０」、輪郭線の明色設定エリア２０７のデータはＢテーブル２１２に「グレー」、輪郭の線幅設定エリア２０８のデータはＣテーブル２１４に「２」、背景色の暗色割合設定エリア２０９のデータはＤテーブル２１５に「５０」と図２（ｃ）の省電力表示モード設定情報テーブルのフォーマットでＲＡＭ１０９にデータを登録する。
【００５６】
本発明による省電力表示モード時の表示の処理の流れを、図８を用いて説明する。図８は、本発明による省電力表示処理フローチャート図である。  表示切替入力部判定処理（ステップＳ８００）は表示切替入力部１０７が標準表示モードか省電力表示モードのどちらになっているかどうかを判断する処理である。
【００５７】
「省電力表示モード」の場合、次に省電力表示データ作成処理（ステップＳ８０１）を実行する。省電力表示データ作成処理（ステップＳ８０１）は省電力表示画面を生成する処理で、画像生成部であるＣＰＵ１０８で作られＲＡＭ１０９に一時的に記憶された表示部／入力部（有機ＥＬ／タッチパネル）１０１の表示部に表示させるための元画像の画像データを読み出し、輪郭抽出部１０２で画面の横方向及び又は縦方向の輪郭部を抽出し、明色変換部１０３で輪郭部の画像レベルを予め設定された明るい画像レベルとなる輪郭画像データに変換する。
【００５８】
一方、ＲＡＭ１０９から読み出された元画像の画像データは予め設定された割合の暗い画像レベルとなる背景画像データに変換され、混合部１１３で輪郭画像データと背景画像データが重ね合わされ、省電力表示画像データを作成しＣＰＵ１０８を介してＲＡＭ１０９に一時的に記憶する。
【００５９】
省電力表示処理（ステップＳ８０２）は、省電力表示データ作成処理（ステップＳ８０１）で生成しＲＡＭ１０９に一時的に記憶した省電力表示画像データを読み出し、表示部／入力部（有機ＥＬ／タッチパネル）の表示部に表示させる処理である。表示切替入力部判定処理（ステップＳ８００）で、「標準表示モード」となっていた場合は、ＣＰＵ１０８で作られＲＡＭ１０９に一時的に記憶された省電力表示加工しない元画像の画像データを読み出し、表示部／入力部（有機ＥＬ／タッチパネル）の表示部に表示させる標準表示処理（ステップＳ８０３）を実行する。
【００６０】
本発明による省電力表示モード時の画面例を、図７を用いて説明する。図７は、本発明による省電力表示モード時の画面例を表す図である。元画像７０１は標準表示モード時の画面例であり、白の背景７０２に、携帯型情報端末機の画像と黒い文字７０６及び黒い線７０７が表示されている場合を示している。携帯型情報端末機は、明るいグレーのケース７０３、暗いグレーの表示部７０４、黒い釦７０５で構成されている。このような画像では白の明るい色が多く使用されている。このように、白い部分が多いと有機ＥＬディスプレイのような自発光タイプの表示装置の消費電力は大きくなる。
【００６１】
省電力画像７１１は省電力表示モード時の画面例であり、図２（ｂ）の省電力表示モード設定情報テーブル２１１に登録されている情報を元に、白の背景７０２と明るいグレーのケース７０３との境界と、明るいグレーのケース７０３と暗いグレーの表示部７０４との境界、明るいグレーのケース７０３と黒い釦７０５との境界は輪郭部Ａとして抽出され、２ドットの太さのグレーの明るさの輪郭部Ａ７２１及び７２２で表示される。
【００６２】
背景７０２の平坦部７１２、ケース７０３の平坦部７１３、表示部７０４の平坦部７１４の画像レベルは元画像に対して５０％のレベルとなった画像となり、黒い釦７０５の平坦部７１５は黒い画像となる。また、文字７０６及び線７０７のように絵の輪郭部ではない部分は指定の２ドットで表示すると読みづらくなるため、１ドットの太さのグレーの明るさの文字７１６、線７１７で表示するようになっている。
【００６３】
詳細は後述するが、輪郭部の間の長さを検出して指定された２ドットがない場合は１ドットで表示するようにしている。このように、画像全体の一部である輪郭部は明るい表示、画像全体の大部分である背景（平坦部）は暗い表示となり、全体的に暗い画像となるので表示の消費電力を低減することができる。
【００６４】
次に、本発明による省電力画像の画像レベルについて、図９を用いて説明する。図９は、本発明による省電力画像の画像レベルのイメージ図であり、図９（ａ）は元画像の画像レベル、図９（ｂ）は輪郭抽出画像、図９（ｃ）は暗色変換画像、図９（ｄ）は省電力画像である。尚、ここでは図７のＡライン部の画像の部分で説明する。また、ここでは（Ｒ、Ｇ、Ｂ）の各色成分が同一な画像レベルの場合で説明する。
【００６５】
図９（ａ）に示すように、元画像は背景９０２が白なので画像データは「２５５」、表示部９０４は暗いグレーなので画像データは「１２７」、線９０７は黒なので画像データは「０」となっている。
【００６６】
この元画像から輪郭抽出部１０２で輪郭部を抽出して、明色変換部１０３により図９（ｂ）に示す輪郭抽出画像の画像レベルに変換する。図２（ｂ）の省電力表示モード設定情報テーブル２１１に登録されている輪郭線の明色設定の「グレー」の情報と輪郭の線幅設定の「２ドット」の情報を元に、画像レベル「グレー」線幅「２ドット」の輪郭部Ａ９２１を生成し、線９０７部は画像レベル「グレー」線幅「１ドット」の線９２１を生成する。
【００６７】
一方、この元画像から暗色変換部１１２により図９（ｃ）に示す暗色変換画像の画像レベルに変換する。図２（ｂ）の省電力表示モード設定情報テーブル２１１に登録されている背景色の暗色割合設定の「５０％」の情報を元に、元画像の画像レベルを５０％にする。例えば、画像データ「１２７」の背景９１２、画像データ「６４」の表示部９１４を生成する。
【００６８】
図９（ｂ）の輪郭抽出画像と図９（ｃ）の暗色変換画像とを混合部１１３で重ね合わせることにより図９（ｄ）に示す省電力画像が生成される。
尚、ここでは（Ｒ、Ｇ、Ｂ）の各色成分が同一な画像レベルの場合で説明したが、本実施例では、それぞれの色成分毎に輪郭抽出、明色変換、暗色変換をするようになっているので、単色の場合や各色成分毎に画像レベルが違う場合にも対応が可能である。
【００６９】
次に、本発明による輪郭抽出、明色変換、暗色変換の具体的な処理を図４から図６を用いて、詳細に説明する。図４は本発明による画面のドット説明図、図５は本発明によるＸ方向の色変化点抽出、明色変換、暗色変換処理のフローチャート図、図６は本発明によるＹ方向の色変化点抽出、明色変換処理のフローチャート図である。
【００７０】
画面構成４００は携帯型情報端末機１００の表示部／入力部（有機ＥＬ／タッチパネル）１０１の表示部に表示する画面で、本実施例では、縦（Ｙ方向）４８０ドット、横（Ｘ方向）３２０ドットとする。
【００７１】
後述する図５のＸ方向の色変化点抽出、明色変換と暗色変換処理のフローチャート図の処理では、先頭ドット（Ｘ１、Ｙ１）４０２を基準に（Ｘ１、Ｙ１）と（Ｘ２、Ｙ１）、（Ｘ２、Ｙ１）と（Ｘ３、Ｙ１）・・・とＸ方向のドット間の各色の画像データを比較することで色変化の度合い（色差）を求め水平方向の輪郭部を抽出する。
【００７２】
Ｘ方向で３２０ドットまで達した場合、Ｙ２行のＸ方向にドット間の画像データを比較する処理を実行し、Ｙ方向（１〜４８０行）４０１の４８０行までドット間の画像データの比較処理を実行する。また、後述する図６のＹ方向の色変化点抽出、明色変換処理フロー図の処理では先頭ドット（Ｘ１、Ｙ１）４０２を基準に（Ｘ１、Ｙ１）と（Ｘ１、Ｙ２）、（Ｘ１、Ｙ２）と（Ｘ１、Ｙ３）・・・とＹ方向のドット間の各色の画像データを比較することで色変化の度合い（色差）を求め垂直方向の輪郭部を抽出する。
【００７３】
Ｙ方向で４８０ドットまで達した場合、Ｘ２列のＹ方向にドット間の画像データを比較する処理を実行し、Ｘ方向（１〜３２０列）４０３の３２０列までドット間の画像データ比較処理を実行する。ドット拡大図４０５は各ドットの拡大図でＲ、Ｇ、Ｂの３色が光るようになっており、Ｒ、Ｇ、Ｂそれぞれ色番号４０４で各色毎の画像データをデータとして持っている。（Ｒ、Ｇ、Ｂ）の画像データが（０、０、０）の場合は表示色が黒となり、一番電力を消費しない状態になり、（Ｒ、Ｇ、Ｂ）の画像データが（２５５、２５５、２５５）の場合は表示色が白となり、一番電力を消費する状態になる。
【００７４】
図５はＸ方向色変化点抽出、明色変換、暗色変換処理のフローチャート図である。初期設定処理（ステップＳ５００）はフローの初期値を設定する処理であり、図４の先頭ドット（Ｘ１、Ｙ１）４０２と色変化点の「始」か「終」を判断する色変化点終始フラグに初期値「始」を代入する処理である。前記、色変化点終始フラグは輪郭部の線の太さを広げられるかどうかを判断する処理に使用する。
【００７５】
暗色生成処理（ステップＳ５０５）は、背景色の暗色割合設定２０４で設定した割合分表示色を暗くする。具体的に、５０％と設定した場合は元の色が（Ｒ：２５５、Ｇ：２５５、Ｂ：２５５）で白表示に対して、（Ｒ：１２７、Ｇ：１２７、Ｂ１２７）でグレー表示となる。計算方法としては、Ｒ：２５５×０．５（５０％）＝１２７（小数点以下切り捨て）、Ｇ：２５５×０．５（５０％）＝１２７（小数点以下切り捨て）、Ｂ：２５５×０．５（５０％）＝１２７（小数点以下切り捨て）となる。
【００７６】
本発明において具体的に色を変更する対象となるドットは（Ｘ１、Ｙ１）で、例えば、（Ｘ２、Ｙ１）ドットと（Ｘ３、Ｙ１）ドットを比較した場合、（Ｘ２、Ｙ１）ドットが色変更対象ドットなる。変更した画像データは、元画像データを書き換えずに、暗色変換画像としてとしてＲＡＭ１０４に格納する。
【００７７】
色差判定処理（ステップＳ５０１）は、図４で説明したドット内のＲ、Ｇ、Ｂそれぞれの色差が、輪郭抽出のための色差割合設定２０１で設定した値を超えているかどうかを判断する処理である。
具体的に説明すると、Ｘ方向に並ぶ隣同士のドットのＲ、Ｇ、Ｂ各色の色差を比較して判断する処理である。図４で説明した各ドットの画像データはＲＡＭ１０４に格納されており、比較処理時にＲＡＭ１０９のワークエリアに画像データを取り込み、比較処理を実行する。
【００７８】
最初は（Ｘ１、Ｙ１）ドットと（Ｘ２、Ｙ１）ドットのＲ、Ｇ、Ｂ各色同士を比較し、次に、（Ｘ２、Ｙ１）と（Ｘ３、Ｙ１）ドットのＲ、Ｇ、Ｂ各色同士を比較する。２０％の色変化を設定した場合、数値として２５５×０．２（２０％）＝５１の差が生じた場合を「真」とし、次の色変化終始確認処理（ステップＳ５０２）を実行する。
【００７９】
色差が２０％（５１）に満たない場合は、列終了確認処理（ステップＳ５１１）を実行する。列終了確認処理（ステップＳ５１１）は、Ｙ１行のＸ１〜Ｘ３２０ドット全ての比較が終了したかを判断する処理である。Ｙ１行のＸ１〜Ｘ３２０ドットの隣接するドットを比較し、（Ｘ３２０、Ｙ１）に達した場合は、「真」となり、次の列初期化処理（ステップＳ５１４）を実行する。（Ｘ３２０、Ｙ１）に達しない場合は、「偽」となり、列加算処理（ステップＳ５０９）を実行する。
【００８０】
列加算処理（ステップＳ５０９）は、Ｘ方向に１ドット分の数字を加算する処理で、例えば（Ｘ１、Ｙ１）に列加算処理（ステップＳ５０９）を施すと（Ｘ２、Ｙ１）となる。列初期化処理（ステップＳ５１４）は、Ｘ３２０をＸ１に戻す処理である。列初期化処理（ステップＳ５１４）実行後、行終了確認処理（ステップＳ５１５）を実行する。
【００８１】
行終了確認処理（ステップＳ５１５）はドットの比較処理がＹ方向に４８０行（Ｙ４８０）に達しているか否かを判断する処理である。Ｙ方向に４８０行（Ｙ４８０）に達している場合は「真」となり全ての処理を終了する。Ｙ方向に４８０行（Ｙ４８０）に達していない場合は「偽」となり、行加算処理（ステップＳ５１３）を実行する。
【００８２】
行加算処理（ステップＳ５１３）はＹ方向に１行たす処理で、Ｙ１の次はＹ２となる。（Ｘ１、Ｙ１）と（Ｘ２、Ｙ１）・・・（Ｘ３１９、Ｙ１）と（Ｘ３２０、Ｙ１）のように各ドットを比較し、Ｘが３２０ドットまで達した場合は、Ｙ方向に１をたして（Ｘ１、Ｙ２）と（Ｘ２、Ｙ２）・・・（Ｘ３１９、Ｙ２）と（Ｘ３２０、Ｙ２）のように処理し、（Ｘ１、Ｙ４８０）と（Ｘ２、Ｙ４８０）・・・（Ｘ３１９、Ｙ４８０）と（Ｘ３２０、Ｙ４８０）まで全てのドットに対して色比較処理を実行する。
【００８３】
列加算処理（ステップＳ５０９）、行加算処理（ステップＳ５１３）を実行後は、色差判定処理（ステップＳ５０１）に戻る。色差判定処理（ステップＳ５０１）で色差が指定値を超えている場合、「真」となり、色変化点終始確認処理（ステップＳ５０２）を実行する。
【００８４】
色変化点終始確認処理（ステップＳ５０２）は、色変化がある箇所の「始」か「終」を判断する処理で、最初は初期設定処理（ステップＳ５００）で設定した、色変化点終始フラグを見るので「始」となる。色変化点終始フラグが「始」の場合は、次に色変化開始点記憶処理（ステップＳ５０４）を実行する。
【００８５】
色変化開始点記憶処理（ステップＳ５０４）は色の変化があったドット、例えば（Ｘ１、Ｙ１）と（Ｘ２、Ｙ１）の比較で色変化があった場合、（Ｘ２、Ｙ１）が色変化点開始位置として、一時的にＲＡＭ１０９に格納する処理である。次に、終始フラグ「終」設定処理（ステップＳ５０６）を実行する。
【００８６】
終始フラグ「終」設定処理（ステップＳ５０６）は、始点位置データをＲＡＭ１０９に登録完了し始点位置データを記憶していることを色変化点終始確認処理（ステップＳ５０２）で認識できるようにする処理である。
【００８７】
終始フラグ「終」設定処理（ステップＳ５０６）後は、次に前述した列終了確認処理（ステップＳ５１１）を実行する。色変化点終始確認処理（ステップＳ５０２）で、色変化点終始フラグが「終」の場合は、色変化修了点記憶処理（ステップＳ５０３）を実行する。
【００８８】
色変化終了点記憶処理（ステップＳ５０３）は、色の変化があったドット、例えば（Ｘ３、Ｙ１）と（Ｘ４、Ｙ１）の比較で色変化があった場合、（Ｘ３、Ｙ１）が色変化点終了位置として、一時的にＲＡＭ１０４に格納する処理である。１ドット分しか色変化がない場合、（Ｘ２、Ｙ１）ドットが「始」「終」のドットとなり、１ドット分の色変化を認識できる。次に、終始フラグ「始」設定処理（ステップＳ５０７）を実行する。
【００８９】
終始フラグ「始」設定処理（ステップＳ５０７）は終点を登録完了したことを記憶する処理である。終始フラグ「始」設定処理（ステップＳ５０７）後は、明色生成処理（ステップＳ５０８）を実行する。
【００９０】
明色生成処理（ステップＳ５０８）は輪郭線の明色設定２０２で指定した色の色番号を指定ドットに登録する処理である。登録対象ドットは、色変化開始点記憶処理（ステップＳ５０４）と色変化終了点記憶処理（ステップＳ５０７）で登録したドットが対象で、この場合、グレー（Ｒ：２２４、Ｇ：２２４、Ｂ：２２４）登録なので、この色番号を、新しい画像データとしてＲＡＭ１０４に格納する。
【００９１】
前述したように、元画像データの書き換えはせず、輪郭抽出画像として登録する。明色生成処理（ステップＳ５０８）を実行後は、線幅設定値確認（ステップＳ５１０）を実行する。線幅設定値確認（ステップＳ５１０）は、輪郭の線幅設定２０３で設定した線幅を満たしているかまたは線幅が広げられない間隔（ドット座標間隔が１ドット以下）を確認する処理である。
【００９２】
色変化開始点記憶処理（ステップＳ５０４）と色変化終了点記憶処理（ステップＳ５０３）で記憶したドットの距離から判断する。例えば、１ドットの変化点しか検出できない場合、色変化開始点記憶処理（ステップＳ５０４）で記憶したドット（Ｘ５、Ｙ１）、色変化終了点記憶処理（ステップＳ５０３）で記憶したドット（Ｘ５、Ｙ１）が一致する。線幅設定値確認（ステップＳ５１０）で、条件を満たさない場合、線幅加算処理（ステップＳ５１２）を実行する。
【００９３】
線幅加算処理（ステップＳ５１２）は、図２（ａ）省電力表示モードの設定画面で設定した輪郭の線幅設定項目２０３の輪郭の線幅設定エリア２０８に入力された値（この場合２）分のドットを指定する。例えば、開始ドット（Ｘ３、Ｙ１）、終了ドット（Ｘ５、Ｙ１）の場合、既に１ドット分は明色生成処理（ステップＳ５０８）を実行しているので、２ドットの場合、追加が１ドットになるので、色変化開始点を（Ｘ２、Ｙ１）、色変化終了点を（Ｘ６、Ｙ１）に、次に明色生成処理（Ｓ５０８）を実行させる。
【００９４】
図６はＹ方向の色変化点抽出、明色変換処理のフローチャート図である。初期設定処理（ステップＳ６００）はフローの初期値を設定する処理であり、図４の先頭ドット（Ｘ１、Ｙ１）４０２と色変化点の「始」か「終」を判断する色変化点終始フラグに初期値「始」を代入する処理である。
【００９５】
前記、色変化点終始フラグは輪郭部の線の太さを広げられるかどうかを判断する処理に使用する。色差判定処理（ステップＳ６０１）は、図４で説明したドット内のＲ、Ｇ、Ｂそれぞれの色差が、輪郭抽出のための色差割合設定２０１で設定した値を超えているかどうかを判断する処理である。
【００９６】
具体的に説明すると、Ｙ方向に並ぶ隣同士のドットのＲ、Ｇ、Ｂ各色の色差を比較して判断する処理である。図４で説明した各ドットの画像データはＲＡＭ１０４に格納されており、比較処理時にＲＡＭ１０９のワークエリアに画像データを取り込み、比較処理を実行する。
【００９７】
最初は（Ｘ１、Ｙ１）ドットと（Ｘ１、Ｙ２）ドットのＲ、Ｇ、Ｂ各色同士を比較し、次に、（Ｘ１、Ｙ２）と（Ｘ１、Ｙ３）ドットのＲ、Ｇ、Ｂ各色同士を比較する。２０％の色変化を設定した場合、数値として２５５×０．２（２０％）＝５１の差が生じた場合を「真」とし、次の色変化終始確認処理（ステップＳ６０２）を実行する。色差が２０％（５１）に満たない場合は、行終了確認処理（ステップＳ６１１）を実行する。
【００９８】
行終了確認処理（ステップＳ６１１）は、Ｘ１行のＹ１〜Ｙ４８０ドット全ての比較が終了したかを判断する処理である。Ｘ１行のＹ１〜Ｙ４８０ドットの隣接するドットを比較し、（Ｘ１、Ｙ４８０）に達した場合は、「真」となり、次の行初期化処理（ステップＳ６１４）を実行する。（Ｘ１、Ｙ４８０）に達しない場合は、「偽」となり、行加算処理（ステップＳ６０９）を実行する。
【００９９】
行加算処理（ステップＳ６０９）は、Ｙ方向に１ドット分の数字を加算する処理で、例えば（Ｘ１、Ｙ１）に行加算処理（ステップＳ６０９）を施すと（Ｘ１、Ｙ２）となる。行初期化処理（ステップＳ６１４）は、Ｙ４８０をＹ１に戻す処理である。行初期化処理（ステップＳ６１４）実行後、列終了確認処理（ステップＳ６１５）を実行する。
【０１００】
列終了確認処理（ステップＳ６１５）はドットの比較処理がＸ方向に３２０列（Ｘ３２０）に達しているか否かを判断する処理である。Ｘ方向に３２０列（Ｘ３２０）に達している場合は「真」となり全ての処理を終了する。Ｘ方向に３２０列（Ｘ３２０）に達していない場合は「偽」となり、列加算処理（ステップＳ６１３）を実行する。
【０１０１】
列加算処理（ステップＳ６１３）はＸ方向に１列たす処理で、Ｘ１の次はＸ２となる。（Ｘ１、Ｙ１）と（Ｘ１、Ｙ２）・・・（Ｘ１、Ｙ４７９）と（Ｘ１、Ｙ４８０）のように各ドットを比較し、Ｙが４８０ドットまで達した場合は、Ｘ方向に１をたして（Ｘ２、Ｙ１）と（Ｘ２、Ｙ２）・・・（Ｘ２、Ｙ４７９）と（Ｘ２、Ｙ４８０）のように処理し、（Ｘ３２０、Ｙ１）と（Ｘ３２０、Ｙ２）・・・（Ｘ３２０、Ｙ４７９）と（Ｘ３２０、Ｙ４８０）まで全てのドットに対して色比較処理を実行する。
【０１０２】
行加算処理（ステップＳ６０９）、列加算処理（ステップＳ６１３）を実行後は、色差判定処理（ステップＳ６０１）に戻る。色差判定処理（ステップＳ６０１）で色差が指定値を超えている場合、「真」となり、色変化点終始確認処理（ステップＳ６０２）を実行する。
【０１０３】
色変化点終始確認処理（ステップＳ６０２）は、色変化がある箇所の「始」か「終」を判断する処理で、最初は初期設定処理（ステップＳ６００）で設定した、色変化点終始フラグを見るので「始」となる。色変化点終始フラグが「始」の場合は、次に色変化開始点記憶処理（ステップＳ６０４）を実行する。
【０１０４】
色変化開始点記憶処理（ステップＳ６０４）は色の変化があったドット、例えば（Ｘ１、Ｙ１）と（Ｘ２、Ｙ１）の比較で色変化があった場合、（Ｘ２、Ｙ１）が色変化点開始位置として、一時的にＲＡＭ１０９に格納する処理である。
【０１０５】
次に、終始フラグ「終」設定処理（ステップＳ６０６）を実行する。終始フラグ「終」設定処理（ステップＳ６０６）は、始点位置データをＲＡＭ１０９に登録完了し始点位置データを記憶していることを色変化点終始確認処理（ステップＳ６０２）で認識できるようにする処理である。終始フラグ「終」設定処理（ステップＳ６０６）後は、次に前述した列終了確認処理（ステップＳ６１１）を実行する。色変化点終始確認処理（ステップＳ６０２）で、色変化点終始フラグが「終」の場合は、色変化修了点記憶処理（ステップＳ６０３）を実行する。
【０１０６】
色変化終了点記憶処理（ステップＳ６０３）は、色の変化があったドット、例えば（Ｘ３、Ｙ１）と（Ｘ４、Ｙ１）の比較で色変化があった場合、（Ｘ３、Ｙ１）が色変化点終了位置として、一時的にＲＡＭ１０４に格納する処理である。１ドット分しか色変化がない場合、（Ｘ２、Ｙ１）ドットが「始」「終」のドットとなり、１ドット分の色変化を認識できる。
【０１０７】
次に、終始フラグ「始」設定処理（ステップＳ６０７）を実行する。終始フラグ「始」設定処理（ステップＳ６０７）は終点を登録完了したことを記憶する処理である。終始フラグ「始」設定処理（ステップＳ６０７）後は、明色生成処理（ステップＳ６０８）を実行する。
【０１０８】
明色生成処理（ステップＳ６０８）は輪郭線の明色設定２０２で指定した色の色番号を指定ドットに登録する処理である。登録対象ドットは、色変化開始点記憶処理（ステップＳ６０４）と色変化終了点記憶処理（ステップＳ６０７）で登録したドットが対象で、この場合、グレー（Ｒ：２２４、Ｇ：２２４、Ｂ：２２４）登録なので、この色番号を、新しい画像データとしてＲＡＭ１０４に格納する。
【０１０９】
前述したように、元画像データの書き換えはせず、輪郭抽出画像として登録する。明色生成処理（ステップＳ６０８）を実行後は、線幅設定値確認（ステップＳ６１０）を実行する。
【０１１０】
線幅設定値確認（ステップＳ６１０）は、輪郭の線幅設定２０３で設定した線幅を満たしているかまたは線幅が広げられない間隔（ドット座標間隔が１ドット以下）を確認する処理である。色変化開始点記憶処理（ステップＳ６０４）と色変化終了点記憶処理（ステップＳ６０３）で記憶したドットの距離から判断する。例えば、１ドットの変化点しか検出できない場合、色変化開始点記憶処理（ステップＳ６０４）で記憶したドット（Ｘ１、Ｙ５）、色変化終了点記憶処理（ステップＳ６０３）で記憶したドット（Ｘ１、Ｙ５）が一致する。
【０１１１】
線幅設定値確認（ステップＳ６１０）で、条件を満たさない場合、線幅加算処理（ステップＳ６１２）を実行する。線幅加算処理（ステップＳ６１２）は、図２（ａ）省電力表示モードの設定画面で設定した輪郭の線幅設定項目２０３の輪郭の線幅設定エリア２０８に入力された値（この場合２）分のドットを指定する。
【０１１２】
例えば、開始ドット（Ｘ１、Ｙ３）、終了ドット（Ｘ１、Ｙ５）の場合、既に１ドット分は明色生成処理（ステップＳ６０８）を実行しているので、２ドットの場合、追加が１ドットになるので、色変化開始点を（Ｘ１、Ｙ２）、色変化終了点を（Ｘ１、Ｙ６）に、次に明色生成処理（ステップＳ６０８）を実行させる。
【０１１３】
以上のような処理をすることにより、有機ＥＬのような自発光タイプの表示装置を搭載した携帯端型情報端末機の表示電力を下げることができ、電池駆動時間を長くさせることができる。
【図面の簡単な説明】
【０１１４】
【図１】本発明による携帯型情報端末機の構成を示すブロック図である。
【図２】本発明による省電力表示モードの設定画面とテーブル図である。
【図３】本発明による省電力表示モードの設定処理フローチャート図である。
【図４】本発明による画面のドット説明図である。
【図５】本発明によるＸ方向の色変化点抽出、明色変換、暗色変換処理のフローチャート図である。
【図６】本発明によるＹ方向の色変化点抽出、明色変換処理のフローチャート図である。
【図７】本発明による省電力表示モード時の画面例である。
【図８】本発明による省電力表示処理フローチャート図である。
【図９】本発明による省電力画像の画像レベルのイメージ図である。
【符号の説明】
【０１１５】
１００    携帯型情報端末機
１０１    表示部／入力部（有機ＥＬ／タッチパネル）
１０２    輪郭抽出部
１０３    明色変換部
１０４    実行入力部
１０５    終了入力部
１０６    電源部
１０７    表示切替入力部
１０８    ＣＰＵ
１０９    ＲＡＭ
１１０    ＲＯＭ
１１１    電池部
１１２    暗色変換部
２００    省電力表示モードの設定ウインドウ
２０１    輪郭抽出のための色差割合設定項目
２０２    輪郭線の明色設定項目
２０３    輪郭の線幅設定項目
２０４    背景色の暗色割合設定項目
２０５    実行ボタン
２０６    色差割合入力エリア
２０７    明色入力エリア
２０８    線幅入力エリア
２０９    暗色割合数値入力エリア
２１０    キャンセルボタン
２１１    省電力表示モード設定情報テーブル
２１２    Ａテーブル
２１３    Ｂテーブル
２１４    Ｃテーブル（輪郭の線幅設定）
２１５    Ｄテーブル（背景色の暗色割合設定）
２１６    プルダウンボタン
２１８    プルダウンメニュー
４００    画面構成
４０１    Ｙ方向（１〜４８０行）
４０２    先頭ドット（Ｘ１、Ｙ１）
４０３    Ｘ方向（１〜３２０列）
４０４    Ｒ、Ｇ、Ｂそれぞれ色番号
４０５    ドット拡大図
７０１    元画像
７０２    背景
７０３    ケース
７０４    表示部
７０５    釦
７０６，７１６    文字
７０７，７１７    線
７１１    省電力画像
７１２，７１３，７１４，７１５    平坦部
７２１，７２２    輪郭部Ａ
【図１】
2008151921.tif 000003
【図２】
2008151921.tif 000004
【図３】
2008151921.tif 000005
【図４】
2008151921.tif 000006
【図５】
2008151921.tif 000007
【図６】
2008151921.tif 000008
【図７】
2008151921.tif 000009
【図８】
2008151921.tif 000010
【図９】
2008151921.tif 000011